(57)【要約】  本発明の情報処理装置は、ハードディスクドライブの使用環境または使用状況を監視するＨＤＤ状態監視部１１と、ＨＤＤ状態監視部１１で監視されている使用環境または使用状況の履歴を記録するＨＤＤ状態記録部１３と、ＨＤＤ状態記録部１３に記録されている履歴と所定の条件とを比較する比較判定部１４と、比較判定部１４における比較結果を出力することができる表示部１５と、比較判定部１４における比較結果に基づき、表示部１５に対して比較結果を出力するよう制御する制御部１２とを備え、制御部１２は、履歴が所定の条件を満たしている場合に、表示部１５に対して比較結果を出力するよう制御する。このような構成により、使用環境の一時的な状態変化ではなく、ＨＤＤの使用状況や使用環境の履歴に基づきＨＤＤの異常の有無を判断することで、使用者に対する不要な報知が頻繁に行われることを防止し、使い勝手を向上させることができる。
2009040995.tif 000002
【特許請求の範囲】
【請求項１】
ハードディスクドライブの使用環境または使用状況を監視する監視部と、
前記監視部で監視されている使用環境または使用状況の履歴を記録する履歴記録部と、
前記履歴記録部に記録されている履歴と所定の条件とを比較する比較判定部と、
前記比較判定部における比較結果を出力することができる報知部と、
前記比較判定部における比較結果に基づき、前記報知部に対して比較結果を出力するよう制御する制御部とを備え、
前記制御部は、前記履歴が前記所定の条件を満たしている場合に、前記報知部に対して比較結果を出力するよう制御する、情報処理装置。
【請求項２】
前記監視部は、前記ハードディスクドライブの温度を監視し、
前記比較判定部は、前記監視部で監視されている温度と第１の所定値とを比較し、前記温度が前記第１の所定値を超えた回数をカウントし、
前記制御部は、前記回数が第２の所定値を超えた場合、前記報知部に対して比較結果を出力するよう制御する、請求項１記載の情報処理装置。
【請求項３】
前記監視部は、前記ハードディスクドライブの振動を監視し、
前記比較判定部は、前記振動の回数が第３の所定値を超えたか否かを判定し、
前記制御部は、前記振動の回数が前記第３の所定値を超えた場合、前記報知部に対して比較結果を出力するよう制御する、請求項１記載の情報処理装置。
【請求項４】
前記監視部は、前記ハードディスクドライブの通電時間を監視し、
前記比較判定部は、前記監視部で監視されている通電時間と第４の所定値とを比較し、前記通電時間が前記第４の所定値を超えたか否かを判断し、
前記制御部は、前記通電時間が前記第４の所定値を超えた場合、前記報知部に対して比較結果を出力するよう制御する、請求項１記載の情報処理装置。
【請求項５】
前記監視部は、所定時間毎に監視を実行する、請求項１記載の情報処理装置。
【請求項６】
前記報知部は、前記比較結果の内容を含む報知画面を表示することができる表示部で構成されている、請求項１記載の情報処理装置。
【請求項７】
前記ハードディスクドライブの使用環境の履歴を判定するための基準値を取得する基準値取得部を、さらに備えた、請求項１記載の情報処理装置。
【請求項８】
前記報知部において比較結果を出力するかしないか選択可能な第１の選択手段を、さらに備えた、請求項１記載の情報処理装置。
【請求項９】
前記報知部において出力する比較結果の内容を選択可能な第２の選択手段を、さらに備えた、請求項１記載の情報処理装置。
【請求項１０】
前記報知部において比較結果を自動的に出力するか、所定の操作が行われた場合に比較結果を出力するかを選択可能な第３の選択手段を、さらに備えた、請求項１記載の情報処理装置。
【請求項１１】
本装置の電源設定情報を取得する電源設定取得部を、さらに備え、
前記制御部は、前記電源設定取得部が取得した電源設定情報を確認し、前記ハードディスクドライブに故障の原因になる影響を与える可能性がある電源設定情報が含まれている場合に、報知出力を行うよう前記報知部を制御する、請求項１記載の情報処理装置。
【請求項１２】
ハードディスクドライブの使用環境または使用状況を監視する監視ステップと、
前記監視ステップで監視されている使用環境または使用状況の履歴を記録する記録ステップと、
前記履歴と所定の条件とを比較する比較ステップと、
前記比較ステップにおける比較の結果を出力する報知ステップとを含む、情報処理方法。
【請求項１３】
前記監視ステップは、前記ハードディスクドライブの温度を監視し、
前記比較ステップは、
前記監視ステップで監視されている温度と第１の所定値とを比較し、
前記温度が前記第１の所定値を超えた回数をカウントし、
前記回数が第２の所定値を超えた場合、前記報知部に対して比較結果を出力するよう制御する、請求項１２記載の情報処理方法。
【請求項１４】
前記監視ステップは、前記ハードディスクドライブの振動を監視し、
前記比較ステップは、
前記振動の回数が第３の所定値を超えたか否かを判定し、
前記振動の回数が第３の所定値を超えた場合、前記報知部に対して比較結果を出力するよう制御する、請求項１２記載の情報処理方法。
【請求項１５】
前記監視ステップは、前記ハードディスクドライブの通電時間を監視し、
前記比較ステップは、
前記監視ステップで監視されている通電時間と第４の所定値とを比較し、
前記通電時間が前記第４の所定値を超えたか否かを判断し、
前記通電時間が前記第４の所定値を超えた場合、前記報知部に対して比較結果を出力するよう制御する、請求項１２記載の情報処理方法。
【請求項１６】
前記監視ステップは、所定時間毎に監視を実行する、請求項１２記載の情報処理装置。
【請求項１７】
前記報知ステップでは、前記比較結果の内容を含む報知画面を表示部に表示することができる、請求項１２記載の情報処理装置。
【請求項１８】
前記ハードディスクドライブの使用環境または使用状況の履歴と比較するための条件を取得する条件取得ステップを含む、請求項１２記載の情報処理方法。
【請求項１９】
前記報知ステップにおける比較結果を出力するかしないかを選択可能である、請求項１２記載の情報処理方法。
【請求項２０】
前記報知ステップにおいて出力する比較結果の内容を選択可能である、請求項１２記載の情報処理方法。
【請求項２１】
前記報知ステップにおいて比較結果を自動的に出力するか、所定の操作が行われた場合に比較結果を出力するかを選択可能である、請求項１２記載の情報処理方法。
【請求項２２】
使用者の電源設定情報を取得する取得ステップと、
前記取得ステップにおいて取得した電源設定情報を確認し、前記ハードディスクドライブに故障の原因になる影響を与える可能性がある電源設定情報が含まれている場合に、報知出力を行うよう制御する制御ステップとを、さらに備えた請求項１２記載の情報処理方法。
【発明の詳細な説明】
【技術分野】
【０００１】
本発明は、ハードディスクドライブ（ＨＤＤ）の使用環境を判定して、所定の基準値を超えた場合に、使用者に対して注意を促すために報知を行うことができる情報処理装置、および情報処理方法に関するものである。
【背景技術】
【０００２】
近年、ＨＤＤは、大容量化に伴い、パソコンやテレビジョン受像機などの様々な製品に利用されている。一方、ＨＤＤは、外部から加わる振動や熱に対する耐性が低く、強い振動が加わったり高温状態になったりすると故障してしまう可能性が高い。このようなＨＤＤの故障を極力回避するために、振動センサや温度センサ等を用いてＨＤＤの使用状態や使用環境を監視し、ＨＤＤの状態が悪化すれば使用者に対して注意を促す報知を行うことが行われてきた。このような報知を行うことにより、使用者はデータのバックアップやＨＤＤの交換などの対応ができる。【０００３】
特許文献１および２には、各種センサを用いてＨＤＤの状態を監視し、ＨＤＤの状態が悪化したことを使用者に報知する構成が開示されている。また、特許文献３には、マイクロホンで磁気ディスク装置の機械的可動部の音を採取し、採取した音に基づき磁気ディスク装置の故障予測を行う構成が開示されている。【０００４】
図４は、従来の情報処理システムのブロック図を示す。図４に示す情報処理システムは、まず、各種センサ４１によりＨＤＤの動作環境の変化を検知する。制御部４２は、各種センサ４１において検知した結果を確認し、ＨＤＤの障害を誘発する可能性があるかどうか判定する。制御部４２は、その判定結果に応じて、表示部４３に対して所定の報知画面を表示するよう制御する。例えば、制御部４２において、ＨＤＤの障害を誘発する可能性があると判定されれば、表示部４３に所定のメッセージを含む報知画面を表示するよう制御する。これにより、使用者に対して注意を促し、使用環境の変化に起因してＨＤＤが故障することを抑止している。
【特許文献１】特開２００３−３４５６２７号公報
【特許文献２】特開平１０−３１８８０４号公報
【特許文献３】特開２００１−９２６８８号公報
【発明の開示】
【発明が解決しようとする課題】
【０００５】
しかしながら上記の従来の構成では、制御部４２は、各種センサ４１において動作環境の変化を検出した時点のみの情報に基づき異常の有無を判断していたので、一時的にＨＤＤの温度が基準値を超えてしまったり、一時的にＨＤＤに振動が加わったりした場合、表示部４３に頻繁に報知画面が表示されてしまう。すなわち、ＨＤＤに異常が生じる程度の温度や振動ではない場合にも、表示部４３に頻繁に報知画面が表示されてしまい、本装置を用いた入力作業等に支障を来してしまう。【０００６】
本発明は、使用環境の一時的な状態変化ではなく、ＨＤＤの使用状況や使用環境の履歴に基づきＨＤＤの異常の有無を判断することで、使用者に対する不要な報知が頻繁に行われることを防止し、使い勝手を向上させることができる情報処理装置および情報処理方法を提供することを目的とする。
【課題を解決するための手段】
【０００７】
本発明の情報処理装置は、ハードディスクドライブの使用環境または使用状況を監視する監視部と、前記監視部で監視されている使用環境または使用状況の履歴を記録する履歴記録部と、前記履歴記録部に記録されている履歴と所定の条件とを比較する比較判定部と、前記比較判定部における比較結果を出力することができる報知部と、前記比較判定部における比較結果に基づき、前記報知部に対して比較結果を出力するよう制御する制御部とを備え、前記制御部は、前記履歴が前記所定の条件を満たしている場合に、前記報知部に対して比較結果を出力するよう制御するものである。【０００８】
本発明の情報処理方法は、ハードディスクドライブの使用環境または使用状況を監視する監視ステップと、前記監視ステップで監視されている使用環境または使用状況の履歴を記録する記録ステップと、前記履歴と所定の条件とを比較する比較ステップと、前記比較ステップにおける比較の結果を出力する報知ステップとを含むものである。
【発明の効果】
【０００９】
本発明によれば、使用者に対する不要な報知が頻繁に行われることを防止し、使い勝手を向上させることができる。
【図面の簡単な説明】
【００１０】
【図１】図１は、本発明の実施の形態における情報処理装置のブロック図である。
【図２】図２は、本実施の形態における比較判定方法の動作の流れを示すフローチャートである。
【図３】図３は、本実施の形態における判定結果が画面表示された情報処理装置の斜視図である。
【図４】図４は、従来の情報処理システムのブロック図である。
【発明を実施するための最良の形態】
【００１１】
本発明の情報処理装置において、前記監視部は、前記ハードディスクドライブの温度を監視し、前記比較判定部は、前記監視部で監視されている温度と第１の所定値とを比較し、前記温度が前記第１の所定値を超えた回数をカウントし、前記制御部は、前記回数が第２の所定値を超えた場合、前記報知部に対して比較結果を出力するよう制御する構成とすることができる。【００１２】
本発明の情報処理装置において、前記監視部は、前記ハードディスクドライブの振動を監視し、前記比較判定部は、前記振動の回数が第３の所定値を超えたか否かを判定し、前記制御部は、前記振動の回数が前記第３の所定値を超えた場合、前記報知部に対して比較結果を出力するよう制御する構成とすることができる。【００１３】
本発明の情報処理装置において、前記監視部は、前記ハードディスクドライブの通電時間を監視し、前記比較判定部は、前記監視部で監視されている通電時間と所定値とを比較し、前記通電時間が前記所定値を超えたか否かを判断し、前記制御部は、前記通電時間が前記所定値を超えた場合、前記報知部に対して比較結果を出力するよう制御する構成とすることができる。【００１４】
本発明の情報処理装置において、前記監視部は、所定時間毎に監視を実行する構成とすることができる。【００１５】
本発明の情報処理装置において、前記報知部は、前記比較結果の内容を含む報知画面を表示することができる表示部で構成することができる。【００１６】
本発明の情報処理装置において、前記ハードディスクドライブの使用環境の履歴を判定するための基準値を取得する基準値取得部を、さらに備えた構成とすることができる。【００１７】
本発明の情報処理装置において、前記報知部において比較結果を出力するかしないか選択可能な第１の選択手段を、さらに備えた構成とすることができる。【００１８】
本発明の情報処理装置において、前記報知部において出力する比較結果の内容を選択可能な第２の選択手段を、さらに備えた構成とすることができる。【００１９】
本発明の情報処理装置において、前記報知部において比較結果を自動的に出力するか、所定の操作が行われた場合に比較結果を出力するかを選択可能な第３の選択手段を、さらに備えた構成とすることができる。【００２０】
本発明の情報処理装置において、本装置の電源設定情報を取得する電源設定取得部を、さらに備え、前記制御部は、前記電源設定取得部が取得した電源設定情報を確認し、前記ハードディスクドライブに故障の原因になる影響を与える可能性がある電源設定情報が含まれている場合に、報知出力を行うよう前記報知部を制御する構成とすることができる。【００２１】
本発明の情報処理方法において、前記監視ステップは、前記ハードディスクドライブの温度を監視し、前記比較ステップは、前記監視ステップで監視されている温度と第１の所定値とを比較し、前記温度が前記第１の所定値を超えた回数をカウントし、前記回数が第２の所定値を超えた場合、前記報知部に対して比較結果を出力するよう制御する方法とすることができる。【００２２】
本発明の情報処理方法において、前記監視ステップは、前記ハードディスクドライブの振動を監視し、前記振動の回数が第３の所定値を超えたか否かを判定し、前記振動の回数が前記第３の所定値を超えた場合、前記報知部に対して比較結果を出力するよう制御する方法とすることができる。【００２３】
本発明の情報処理方法において、前記監視ステップは、前記ハードディスクドライブの通電時間を監視し、前記比較ステップは、前記監視ステップで監視されている通電時間と第４の所定値とを比較し、前記通電時間が前記第４の所定値を超えたか否かを判断し、前記通電時間が前記第４の所定値を超えた場合、前記報知部に対して比較結果を出力するよう制御する方法とすることができる。【００２４】
本発明の情報処理方法において、前記監視ステップは、所定時間毎に監視を実行する方法とすることができる。【００２５】
本発明の情報処理方法において、前記報知ステップでは、前記比較結果の内容を含む報知画面を表示部に表示することができる方法とすることができる。【００２６】
本発明の情報処理方法において、前記ハードディスクドライブの使用環境または使用状況の履歴と比較するための条件を取得する条件取得ステップを含む方法とすることができる。【００２７】
本発明の情報処理方法において、前記報知ステップにおける比較結果を出力するかしないかを選択可能である方法とすることができる。【００２８】
本発明の情報処理方法において、前記報知ステップにおいて出力する比較結果の内容を選択可能である方法とすることができる。【００２９】
本発明の情報処理方法において、前記報知ステップにおいて比較結果を自動的に出力するか、所定の操作が行われた場合に比較結果を出力するかを選択可能である方法とすることができる。【００３０】
本発明の情報処理方法において、使用者の電源設定情報を取得する取得ステップと、前記取得ステップにおいて取得した電源設定情報を確認し、前記ハードディスクドライブに故障の原因になる影響を与える可能性がある電源設定情報が含まれている場合に、報知出力を行うよう制御する制御ステップとを、さらに備えた方法とすることができる。【００３１】
（実施の形態）
図１は、本実施の形態の情報処理装置のブロック図である。図１に示すように、本実施の形態の情報処理装置は、ＨＤＤ状態監視部１１を備えたＨＤＤ１０、制御部１２、ＨＤＤ状態記録部１３、比較判定部１４、表示部１５、および電源設定取得部１６を備えている。【００３２】
ＨＤＤ状態監視部１１は、ＨＤＤ１０に含まれている。また、ＨＤＤ状態監視部１１は、ＨＤＤ１０の使用環境を監視し、Ｓ．Ｍ．Ａ．Ｒ．Ｔ．（Self-Monitoring, Analysis And Reporting Technology）情報を取得することができる。Ｓ．Ｍ．Ａ．Ｒ．Ｔ．情報には、ＨＤＤ１０の累積通電時間または連続通電時間、ＨＤＤ１０の通電回数、ＨＤＤ１０の内部温度、ＨＤＤ１０の代替セクター数などの情報が含まれる。以下、Ｓ．Ｍ．Ａ．Ｒ．Ｔ．情報を「履歴情報」と称する。【００３３】
制御部１２は、ＨＤＤ状態監視部１１、ＨＤＤ状態記録部１３、比較判定部１４、表示部１５、および電源設定取得部１６の動作を制御する。【００３４】
ＨＤＤ状態記録部１３は、ＨＤＤ状態監視部１１で取得した履歴情報を所定の記録領域に記録する。本実施の形態では、ＨＤＤ状態記録部１３は、履歴情報をレジストリ領域に記録する構成とした。なお、履歴情報を記録する領域は、レジストリ領域に限らず、履歴情報をファイル形式に変換し、ファイル形式に変換した履歴情報を情報処理装置内に配されたメモリなどに記録する構成であってもよい。【００３５】
比較判定部１４は、ＨＤＤ状態記録部１３で記録された履歴情報を読み出して、所定の基準値（条件）と比較する。また、比較判定部１４は、履歴情報に含まれる各数値が基準値を超えているか否かを判定する。【００３６】
表示部１５は、制御部１２からの制御により、文字情報や図形情報を表示することができる。本実施の形態では、制御部１２が、比較判定部１４における判定結果に基づき、ＨＤＤ１０あるいはそれを含むパソコンが不適切な環境下で使用されていることを、文字情報あるいは図形情報などで表示部１５に表示するよう制御している。なお、表示部１５は、ノート型パソコンに搭載されている液晶ディスプレイや、ノート型パソコンやデスクトップ型パソコンに外部接続されているディスプレイに相当する。【００３７】
電源設定取得部１６は、情報処置装置において設定されている電源設定の情報を取得する。電源設定情報には、情報処置装置のアイドル状態が設定されている時間継続すると休止状態に移行する設定情報が含まれている。なお、「休止状態」または「休止機能」とは、情報処理装置の作業状態の情報をＨＤＤに保存して、情報処理装置の電源を自動的に切る機能のことである。休止状態から復帰する際は、ＨＤＤから作業状態の情報を読み出し、電源を切る直前の作業状態から作業を再開することができる。アイドル状態の時間（休止状態に移行するまでの時間）は、使用者が任意の値に設定することができる。【００３８】
以下、情報処理装置の動作について説明する。【００３９】
まず、ＨＤＤ状態監視部１１は、ＨＤＤ１０の動作状態（本実施の形態では、温度変化、振動、連続通電時間）を常に監視し、監視することにより得た動作状態の情報を蓄積している。【００４０】
制御部１２は、ＨＤＤ状態監視部１１に対して、一定間隔あるいは任意のタイミングで現在のＨＤＤ１０の動作状態を要求する。ＨＤＤ状態監視部１１は、制御部１２からの要求に基づき、ＨＤＤ１０の動作状態の情報を含む履歴情報を制御部１２に送る。制御部１２は、ＨＤＤ状態監視部１１から送られた履歴情報を、所定の記録領域に記録するようＨＤＤ状態記録部１３に命令を送る。ＨＤＤ状態記録部１３は、制御部１２からの命令に基づき、履歴情報を所定の記録領域（本実施の形態ではレジストリ領域）に記録する。次に、制御部１２は、ＨＤＤ状態記録部１３によって記録された履歴情報を読み出し、比較判定部１４に送る。比較判定部１４は、制御部１２から送られる履歴情報に含まれる数値と所定の基準値とを比較する。比較判定部１４は、履歴情報に含まれる数値が所定の基準値を超える場合、フラグを立てる。なお、比較判定部１４における比較判定処理は、予め設定されているタイミング（例えば毎時０分）、あるいは使用者により比較判定処理の実行命令が入力された場合に実行される。【００４１】
図２は、実施の形態に係る比較判定方法のフローチャートである。図２に示すように、比較判定部１４は、比較判定処理を開始すると、温度フラグ、振動フラグ、通電時間フラグの各使用環境のフラグを「０」にセットする（Ｓ１１）。【００４２】
次に、比較判定部１４は、履歴情報に含まれる温度情報を参照し、温度情報と予め設定されている基準値とを比較する。次に、温度情報が基準値Ｔを超えた回数Ｆ１をカウントする。次に、カウントした回数Ｆ１と基準回数Ｎ（Ｎは任意の値。本実施の形態ではＮ＝２）とを比較する。なお、基準値Ｔは、本発明の第１の所定値の一例である。また、基準回数Ｎは、本発明の第２の所定値の一例である（Ｓ１２）。【００４３】
比較判定部１４は、回数Ｆ１が基準回数Ｎを超えていると判定した場合は、温度フラグを「１」にセットする（Ｓ１３）。また、比較判定部１４は、回数Ｆ１が基準回数Ｎを超えていないと判定した場合は、温度フラグは「０」のままとする。【００４４】
次に、比較判定部１４は、履歴情報に含まれる振動情報を参照し、振動の回数Ｆ２と基準回数Ｍ（Ｍは任意の値。本実施の形態ではＭ＝１）とを比較する。なお、基準回数Ｍは、本発明の第３の所定値の一例である（Ｓ１４）。【００４５】
なお、振動の回数は、振動センサが感知した回数でもよいし、振動の大きさが所定のレベルを超えた場合のみの回数としてもよい。【００４６】
比較判定部１４は、回数Ｆ２が基準回数Ｍを超えていると判定した場合は、振動フラグを「１」にセットする（Ｓ１５）。また、比較判定部１４は、回数Ｆ２が基準回数Ｍを超えていないと判定した場合は、振動フラグは「０」のままとする。【００４７】
次に、比較判定部１４は、履歴情報に含まれる連続通電時間情報を参照し、連続通電時間が基準値Ｅ（本実施の形態ではＥ＝２４時間）を超えているか否かを判定する。なお、基準値Ｅは、本発明の第４の所定値の一例である（Ｓ１６）。【００４８】
比較判定部１４は、連続通電時間が基準値Ｅを超えていると判定した場合は、通電時間フラグを「１」にセットする（Ｓ１７）。また、比較判定部１４は、連続通電時間が基準値Ｅを超えていないと判定した場合は、通電時間フラグは「０」のままとする。【００４９】
以上により比較判定部１４における比較判定処理を終了する。なお、図２に示す比較判定処理では、温度、振動、通電時間の順に比較判定処理を実行したが、この順序に限定されない。【００５０】
なお、カウントした回数は、所定の時間毎あるいは情報処理装置の電源が切られた場合に、リセットする（０にする）構成としてもよい。【００５１】
図１に戻り、制御部１２は、比較判定部１４でセットされた使用環境のフラグを参照し、温度フラグ、振動フラグ、通電時間フラグのうち少なくとも１つのフラグが「１」にセットされている場合、表示部１５に報知画面を表示するよう制御する。表示部１５は、制御部１２からの制御により、ＨＤＤ１０が不適切な環境下で使用されていることを使用者に報知する報知画面を表示する。【００５２】
図３は、情報処理装置の一例であるノート型パソコンの外観を示し、表示部１５に報知画面が表示された状態を示す。図３に示す表示例は、温度フラグが「１」となっている時に表示される報知画面である。【００５３】
なお、表示部１５に表示する報知画面は、「１」にセットされているフラグの種別に対応した画面とすることができる。例えば、振動フラグが「１」にセットされている場合は、「使用環境における振動が多いため、ＨＤＤが壊れる可能性があります」と表示することができる。また、複数のフラグが「１」にセットされている場合は、「１」にセットされているフラグに対応した複数のメッセージを含む報知画面を表示することができる。【００５４】
また、本実施の形態では、表示部１５に報知画面を表示する構成としたが、情報処理装置にスピーカーが内蔵されている場合は音や音声で報知する構成としてもよい。また、情報処理装置に発光ダイオードを搭載し、発光ダイオードを発光させることで報知する構成としてもよい。【００５５】
また、図１に示す電源設定取得部１６は、ノート型パソコンの場合、アイドル状態になってから休止状態に移行するまでの設定時間の情報を取得する。ここで、設定時間が短く設定されている場合（例えば１分程度）、使用者がノート型パソコンをアイドル状態で持ち運んでいるときなど、使用者が気づかないうちに設定時間が経過して休止状態に入るための処理（休止状態に入る直前の作業状態の情報をＨＤＤ１０に書き込む処理）が実行される。休止状態に入るための処理が実行されている時、ノート型パソコンに大きな衝撃や振動を与えてしまえば、ＨＤＤ１０の故障の原因になる。【００５６】
そこで、制御部１２は、電源設定取得部１６から取得した設定時間の情報を比較判定部１４に送る。比較判定部１４は、制御部１２から送られる設定時間の情報と予め設定されている基準時間とを比較する。比較判定部１４は、設定時間と基準時間との比較の結果、設定時間が基準時間よりも短い場合、その比較結果を制御部１２に送る。制御部１２は、比較判定部１４から送られる比較結果に基づき、表示部１５に報知画面を表示するよう制御する。表示部１５は、制御部１２からの制御に基づき報知画面を表示する。この時、表示部１５に表示される報知画像は、電源設定内容がＨＤＤ１０の故障の原因になる影響を及ぼす可能性があることを示す内容を含む。すなわち、設定時間が基準時間よりも短い場合、休止状態に入るための処理が頻繁に実行される可能性が高くなるため、使用者に対して報知画面を通じてノート型パソコンに振動や衝撃を与えないよう報知する。ただし、設定時間が０の場合、すなわちアイドル状態が継続しても休止状態に移行しない場合は、報知しない。【００５７】
以上のように本実施の形態によれば、ＨＤＤ１０の使用状況や使用環境の履歴情報を記録することにより、ＨＤＤ１０の一時的な状況変化や環境変化により頻繁に表示部１５に報知画像が表示されることを防ぎ、使用状況や使用環境の履歴情報に基づき必要な報知のみを行うことができる。【００５８】
なお、本実施の形態において、比較判定部１４は、ＨＤＤ状態監視部１１から取得した温度情報、振動情報、通電時間情報を基準値と比較し、ＨＤＤ１０の障害を引き起こす要因となるか否かを判定する構成としたが、ＨＤＤ１０の障害を引き起こす要因について比較判定を行う要素はこれらに限らない。例えば、代替セクター処理が実行されてデータが書き込まれた代替セクター数と基準値とを比較し、上記と同様の判定処理を行う構成とすることができる、「代替セクター処理」とは、データを書き込もうとしているセクターに障害がある場合、替わりに他のセクターに割り当てる処理である。したがって、代替セクター数が多いほど、そのＨＤＤにおいて障害があるセクター（不良セクター）が多いことを表している。【００５９】
また、比較判定部１４において設定されている基準値は、固定値ではなく、あらかじめ使用者によって任意の値に設定あるいは変更可能としてもよい。このような構成の場合、使用者により基準値を入力可能な入力手段と、入力手段で入力された基準値を取得する基準値取得部（いずれも図示せず）を備える構成とすることができる。【００６０】
また、表示部１５に報知画面を表示するかしないかを、使用者により選択可能な第１の選択手段をさらに備える構成とすることができる。【００６１】
また、表示部１５に表示する報知画面の表示内容を、使用者により選択可能な第２の選択手段をさらに備える構成とすることができる。例えば、使用環境の温度が不適切な場合の報知画面のみを表示部１５に表示するよう選択する構成とすることができる。このような構成とすることで、使用者が表示したい報知画面のみを表示させることができ、不要な報知画面を表示させないようにすることができる。【００６２】
また、表示部１５に報知画面を自動的に表示するか、自動的に表示せず使用者が基準値を超えたかどうか確認したい場合のみ、使用者に対して任意に報知画面を表示するかを選択させる第３の選択手段を備える構成とすることができる。【００６３】
また、パソコンの場合では制御部１２、比較判定部１４、および電源設定取得部１６は、ＣＰＵ（中央演算処理装置）およびＣＰＵがＨＤＤ１０から読み出して実行するプログラムに相当する。また、ＨＤＤ状態記録部１３は、ＨＤＤ１０のディスクに割り当てられた記憶領域に相当する。また、表示部１５は、パソコンに内蔵または外部接続されたディスプレイに相当する。そして、ＨＤＤ状態監視部１１（Ｓ．Ｍ．Ａ．Ｒ．Ｔ．情報を取得する手段）を含むハードウェアによって使用環境の監視、報知、あるいは上記の電源設定監視、報知を実行する。また、基準値取得部および上記の選択手段は、ＣＰＵ（中央演算処理装置）、ＣＰＵがＨＤＤから読み出して実行するプログラム、および表示部であるディスプレイによって実現することができる。【００６４】
また、本実施の形態におけるＨＤＤ状態監視部１１は、本発明における監視部の一例である。また、本実施の形態におけるＨＤＤ状態記録部１３は、本発明における履歴記録部の一例である。また、本実施の形態における表示部１５は、本発明における報知部の一例である。また、本実施の形態におけるＳ．Ｍ．Ａ．Ｒ．Ｔ．情報および履歴情報は、本発明における履歴および履歴情報の一例である。
【産業上の利用可能性】
【００６５】
本発明にかかる情報処理装置は、ハードディスクドライブ（ＨＤＤ）の使用環境の履歴を記録することにより、ＨＤＤの一瞬の状態ではなく使用環境の履歴が所定の基準値を超えた場合に、使用者に注意を促すための画面を表示し、使用者により長くＨＤＤを使用してもらうことができるという効果を有し、ＨＤＤの使用環境について注意を促すシステム等として有用である。
【図１】
2009040995.tif 000003
【図２】
2009040995.tif 000004
【図３】
2009040995.tif 000005
【図４】
2009040995.tif 000006
【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
ハードディスクドライブの使用環境または使用状況を監視する監視部と、
前記監視部で監視されている使用環境または使用状況の履歴を記録する履歴記録部と、
前記履歴記録部に記録されている履歴と所定の条件とを比較する比較判定部と、
前記比較判定部における比較結果を出力することができる報知部と、
前記比較判定部における比較結果に基づき、前記報知部に対して比較結果を出力するよう制御する制御部とを備え、
前記所定の条件は、任意の条件に変更可能であり、
前記制御部は、前記履歴が前記所定の条件を満たしている場合に、前記報知部に対して比較結果を出力するよう制御する、情報処理装置。
【請求項２】
ハードディスクドライブの温度を監視する監視部と、
前記監視部で監視されている温度と第１の所定値とを比較し、前記温度が前記第１の所定値を超えた回数をカウントする比較判定部と、
前記比較判定部における比較結果を出力することができる報知部と、
前記比較判定部における比較結果に基づき、前記報知部に対して比較結果を出力するよう制御する制御部とを備え、
前記制御部は、前記回数が第２の所定値を超えた場合、前記報知部に対して比較結果を出力するよう制御する、情報処理装置。
【請求項３】
前記監視部は、前記ハードディスクドライブの振動を監視し、
前記比較判定部は、前記振動の回数が第３の所定値を超えたか否かを判定し、
前記制御部は、前記振動の回数が前記第３の所定値を超えた場合、前記報知部に対して比較結果を出力するよう制御する、請求項１記載の情報処理装置。
【請求項４】
前記監視部は、前記ハードディスクドライブの通電時間を監視し、
前記比較判定部は、前記監視部で監視されている通電時間と第４の所定値とを比較し、前記通電時間が前記第４の所定値を超えたか否かを判断し、
前記制御部は、前記通電時間が前記第４の所定値を超えた場合、前記報知部に対して比較結果を出力するよう制御する、請求項１記載の情報処理装置。
【請求項５】
前記監視部は、所定時間毎に監視を実行する、請求項１記載の情報処理装置。
【請求項６】
前記報知部は、前記比較結果の内容を含む報知画面を表示することができる表示部で構成されている、請求項１記載の情報処理装置。
【請求項７】
前記ハードディスクドライブの使用環境の履歴を判定するための基準値を取得する基準値取得部を、さらに備えた、請求項１記載の情報処理装置。
【請求項８】
前記報知部において比較結果を出力するかしないか選択可能な第１の選択手段を、さらに備えた、請求項１記載の情報処理装置。
【請求項９】
前記報知部において出力する比較結果の内容を選択可能な第２の選択手段を、さらに備えた、請求項１記載の情報処理装置。
【請求項１０】
前記報知部において比較結果を自動的に出力するか、所定の操作が行われた場合に比較結果を出力するかを選択可能な第３の選択手段を、さらに備えた、請求項１記載の情報処理装置。
【請求項１１】
本装置の電源設定情報を取得する電源設定取得部を、さらに備え、
前記制御部は、前記電源設定取得部が取得した電源設定情報を確認し、前記ハードディスクドライブに故障の原因になる影響を与える可能性がある電源設定情報が含まれている場合に、報知出力を行うよう前記報知部を制御する、請求項１記載の情報処理装置。
【請求項１２】
ハードディスクドライブの使用環境または使用状況を監視する監視部と、
前記監視部で監視されている使用環境または使用状況の履歴を記録する履歴記録部と、
前記履歴記録部に記録されている履歴と所定の条件とを比較する比較判定部と、
前記比較判定部における比較結果を出力することができる報知部と、
前記比較判定部における比較結果に基づき、前記報知部に対して比較結果を出力するよう制御する制御部とを備え、
前記制御部は、
前記履歴が前記所定の条件を満たしている場合に、前記報知部に対して比較結果を出力し、
所定の時間経過後、または情報処理装置の電源が切られた場合に、前記履歴をリセットするよう制御する、情報処理装置。
【請求項１３】
ハードディスクドライブの使用環境または使用状況を監視する監視ステップと、
前記監視ステップで監視されている使用環境または使用状況の履歴を記録する記録ステップと、
前記履歴と所定の条件とを比較する比較ステップと、
前記比較ステップにおける比較の結果を出力する報知ステップとを含み、
前記所定の条件は、任意の条件に変更可能である、情報処理方法。
【請求項１４】
ハードディスクドライブの温度を監視する監視ステップと、
前記監視ステップで監視されている温度と所定の条件とを比較する比較ステップと、
前記比較ステップにおける比較の結果を出力する報知ステップとを含み、
前記比較ステップは、
前記監視ステップで監視されている温度と第１の所定値とを比較し、
前記温度が前記第１の所定値を超えた回数をカウントし、
前記回数が第２の所定値を超えた場合、前記報知部に対して比較結果を出力するよう制御する、情報処理方法。
【請求項１５】
前記監視ステップは、前記ハードディスクドライブの振動を監視し、
前記比較ステップは、
前記振動の回数が第３の所定値を超えたか否かを判定し、
前記振動の回数が第３の所定値を超えた場合、前記報知部に対して比較結果を出力するよう制御する、請求項１３記載の情報処理方法。
【請求項１６】
前記監視ステップは、前記ハードディスクドライブの通電時間を監視し、
前記比較ステップは、
前記監視ステップで監視されている通電時間と第４の所定値とを比較し、
前記通電時間が前記第４の所定値を超えたか否かを判断し、
前記通電時間が前記第４の所定値を超えた場合、前記報知部に対して比較結果を出力するよう制御する、請求項１３記載の情報処理方法。
【請求項１７】
前記監視ステップは、所定時間毎に監視を実行する、請求項１３記載の情報処理方法。
【請求項１８】
前記報知ステップでは、前記比較結果の内容を含む報知画面を表示部に表示することができる、請求項１３記載の情報処理方法。
【請求項１９】
前記ハードディスクドライブの使用環境または使用状況の履歴と比較するための条件を取得する条件取得ステップを含む、請求項１３記載の情報処理方法。
【請求項２０】
前記報知ステップにおける比較結果を出力するかしないかを選択可能である、請求項１３記載の情報処理方法。
【請求項２１】
前記報知ステップにおいて出力する比較結果の内容を選択可能である、請求項１３記載の情報処理方法。
【請求項２２】
前記報知ステップにおいて比較結果を自動的に出力するか、所定の操作が行われた場合に比較結果を出力するかを選択可能である、請求項１３記載の情報処理方法。
【請求項２３】
使用者の電源設定情報を取得する取得ステップと、
前記取得ステップにおいて取得した電源設定情報を確認し、前記ハードディスクドライブに故障の原因になる影響を与える可能性がある電源設定情報が含まれている場合に、報知出力を行うよう制御する制御ステップとを、さらに備えた請求項１３記載の情報処理方法。
【請求項２４】
ハードディスクドライブの使用環境または使用状況を監視する監視ステップと、
前記監視ステップで監視されている使用環境または使用状況の履歴を記録する記録ステップと、
前記履歴と所定の条件とを比較する比較ステップと、
前記比較ステップにおける比較の結果を出力する報知ステップと、
所定の時間経過後、または情報処理装置の電源が切られた場合に、前記履歴をリセットするリセットステップとを含み、
前記比較ステップは、前記履歴が前記所定の条件を満たしている場合に、前記報知部に対して比較結果を出力する、情報処理方法。
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
ハードディスクドライブの使用環境または使用状況を監視する監視部と、
前記監視部で監視されている使用環境または使用状況の履歴を記録する履歴記録部と、
前記履歴記録部に記録されている履歴と所定の条件とを比較する比較判定部と、
前記比較判定部における比較結果を出力することができる報知部と、
前記比較判定部における比較結果に基づき、前記報知部に対して比較結果を出力するよう制御する制御部とを備え、
前記所定の条件は、任意の条件に変更可能であり、
前記制御部は、前記履歴が前記所定の条件を満たしている場合に、前記報知部に対して比較結果を出力するよう制御する、情報処理装置。
【請求項２】
ハードディスクドライブの温度を監視する監視部と、
前記監視部で監視されている温度と第１の所定値とを比較し、前記温度が前記第１の所定値を超えた回数をカウントする比較判定部と、
前記比較判定部における比較結果を出力することができる報知部と、
前記比較判定部における比較結果に基づき、前記報知部に対して比較結果を出力するよう制御する制御部とを備え、
前記制御部は、前記回数が第２の所定値を超えた場合、前記報知部に対して比較結果を出力するよう制御する、情報処理装置。
【請求項３】
前記監視部は、前記ハードディスクドライブの振動を監視し、
前記比較判定部は、前記振動の回数が第３の所定値を超えたか否かを判定し、
前記制御部は、前記振動の回数が前記第３の所定値を超えた場合、前記報知部に対して比較結果を出力するよう制御する、請求項１記載の情報処理装置。
【請求項４】
前記監視部は、前記ハードディスクドライブの通電時間を監視し、
前記比較判定部は、前記監視部で監視されている通電時間と第４の所定値とを比較し、前記通電時間が前記第４の所定値を超えたか否かを判断し、
前記制御部は、前記通電時間が前記第４の所定値を超えた場合、前記報知部に対して比較結果を出力するよう制御する、請求項１記載の情報処理装置。
【請求項５】
前記監視部は、所定時間毎に監視を実行する、請求項１記載の情報処理装置。
【請求項６】
前記報知部は、前記比較結果の内容を含む報知画面を表示することができる表示部で構成されている、請求項１記載の情報処理装置。
【請求項７】
前記ハードディスクドライブの使用環境の履歴を判定するための基準値を取得する基準値取得部を、さらに備えた、請求項１記載の情報処理装置。
【請求項８】
前記報知部において比較結果を出力するかしないか選択可能な第１の選択手段を、さらに備えた、請求項１記載の情報処理装置。
【請求項９】
前記報知部において出力する比較結果の内容を選択可能な第２の選択手段を、さらに備えた、請求項１記載の情報処理装置。
【請求項１０】
前記報知部において比較結果を自動的に出力するか、所定の操作が行われた場合に比較結果を出力するかを選択可能な第３の選択手段を、さらに備えた、請求項１記載の情報処理装置。
【請求項１１】
本装置の電源設定情報を取得する電源設定取得部を、さらに備え、
前記制御部は、前記電源設定取得部が取得した電源設定情報を確認し、前記ハードディスクドライブに故障の原因になる影響を与える可能性がある電源設定情報が含まれている場合に、報知出力を行うよう前記報知部を制御する、請求項１記載の情報処理装置。
【請求項１２】
ハードディスクドライブの使用環境または使用状況を監視する監視部と、
前記監視部で監視されている使用環境または使用状況の履歴を記録する履歴記録部と、
前記履歴記録部に記録されている履歴と所定の条件とを比較する比較判定部と、
前記比較判定部における比較結果を出力することができる報知部と、
前記比較判定部における比較結果に基づき、前記報知部に対して比較結果を出力するよう制御する制御部とを備え、
前記制御部は、
前記履歴が前記所定の条件を満たしている場合に、前記報知部に対して比較結果を出力し、
所定の時間経過後、または情報処理装置の電源が切られた場合に、前記履歴をリセットするよう制御する、情報処理装置。
【請求項１３】
ハードディスクドライブの使用環境または使用状況を監視する監視ステップと、
前記監視ステップで監視されている使用環境または使用状況の履歴を記録する記録ステップと、
前記履歴と所定の条件とを比較する比較ステップと、
前記比較ステップにおける比較の結果を出力する報知ステップとを含み、
前記所定の条件は、任意の条件に変更可能である、情報処理方法。
【請求項１４】
ハードディスクドライブの温度を監視する監視ステップと、
前記監視ステップで監視されている温度と所定の条件とを比較する比較ステップと、
前記比較ステップにおける比較の結果を出力する報知ステップとを含み、
前記比較ステップは、
前記監視ステップで監視されている温度と第１の所定値とを比較し、
前記温度が前記第１の所定値を超えた回数をカウントし、
前記回数が第２の所定値を超えた場合、前記報知部に対して比較結果を出力するよう制御する、情報処理方法。
【請求項１５】
前記監視ステップは、前記ハードディスクドライブの振動を監視し、
前記比較ステップは、
前記振動の回数が第３の所定値を超えたか否かを判定し、
前記振動の回数が第３の所定値を超えた場合、前記報知部に対して比較結果を出力するよう制御する、請求項１３記載の情報処理方法。
【請求項１６】
前記監視ステップは、前記ハードディスクドライブの通電時間を監視し、
前記比較ステップは、
前記監視ステップで監視されている通電時間と第４の所定値とを比較し、
前記通電時間が前記第４の所定値を超えたか否かを判断し、
前記通電時間が前記第４の所定値を超えた場合、前記報知部に対して比較結果を出力するよう制御する、請求項１３記載の情報処理方法。
【請求項１７】
前記監視ステップは、所定時間毎に監視を実行する、請求項１３記載の情報処理方法。
【請求項１８】
前記報知ステップでは、前記比較結果の内容を含む報知画面を表示部に表示することができる、請求項１３記載の情報処理方法。
【請求項１９】
前記ハードディスクドライブの使用環境または使用状況の履歴と比較するための条件を取得する条件取得ステップを含む、請求項１３記載の情報処理方法。
【請求項２０】
前記報知ステップにおける比較結果を出力するかしないかを選択可能である、請求項１３記載の情報処理方法。
【請求項２１】
前記報知ステップにおいて出力する比較結果の内容を選択可能である、請求項１３記載の情報処理方法。
【請求項２２】
前記報知ステップにおいて比較結果を自動的に出力するか、所定の操作が行われた場合に比較結果を出力するかを選択可能である、請求項１３記載の情報処理方法。
【請求項２３】
使用者の電源設定情報を取得する取得ステップと、
前記取得ステップにおいて取得した電源設定情報を確認し、前記ハードディスクドライブに故障の原因になる影響を与える可能性がある電源設定情報が含まれている場合に、報知出力を行うよう制御する制御ステップとを、さらに備えた請求項１３記載の情報処理方法。
【請求項２４】
ハードディスクドライブの使用環境または使用状況を監視する監視ステップと、
前記監視ステップで監視されている使用環境または使用状況の履歴を記録する記録ステップと、
前記履歴と所定の条件とを比較する比較ステップと、
前記比較ステップにおける比較の結果を出力する報知ステップと、
所定の時間経過後、または情報処理装置の電源が切られた場合に、前記履歴をリセットするリセットステップとを含み、
前記比較ステップは、前記履歴が前記所定の条件を満たしている場合に、前記報知部に対して比較結果を出力する、情報処理方法。
【手続補正２】
【補正対象書類名】明細書
【補正対象項目名】全文
【補正方法】変更
【補正の内容】
【発明の詳細な説明】
【技術分野】
【０００１】
本発明は、ハードディスクドライブ（ＨＤＤ）の使用環境を判定して、所定の基準値を超えた場合に、使用者に対して注意を促すために報知を行うことができる情報処理装置、および情報処理方法に関するものである。
【背景技術】
【０００２】
近年、ＨＤＤは、大容量化に伴い、パソコンやテレビジョン受像機などの様々な製品に利用されている。一方、ＨＤＤは、外部から加わる振動や熱に対する耐性が低く、強い振動が加わったり高温状態になったりすると故障してしまう可能性が高い。このようなＨＤＤの故障を極力回避するために、振動センサや温度センサ等を用いてＨＤＤの使用状態や使用環境を監視し、ＨＤＤの状態が悪化すれば使用者に対して注意を促す報知を行うことが行われてきた。このような報知を行うことにより、使用者はデータのバックアップやＨＤＤの交換などの対応ができる。
【０００３】
特許文献１および２には、各種センサを用いてＨＤＤの状態を監視し、ＨＤＤの状態が悪化したことを使用者に報知する構成が開示されている。また、特許文献３には、マイクロホンで磁気ディスク装置の機械的可動部の音を採取し、採取した音に基づき磁気ディスク装置の故障予測を行う構成が開示されている。
【０００４】
図４は、従来の情報処理システムのブロック図を示す。図４に示す情報処理システムは、まず、各種センサ４１によりＨＤＤの動作環境の変化を検知する。制御部４２は、各種センサ４１において検知した結果を確認し、ＨＤＤの障害を誘発する可能性があるかどうか判定する。制御部４２は、その判定結果に応じて、表示部４３に対して所定の報知画面を表示するよう制御する。例えば、制御部４２において、ＨＤＤの障害を誘発する可能性があると判定されれば、表示部４３に所定のメッセージを含む報知画面を表示するよう制御する。これにより、使用者に対して注意を促し、使用環境の変化に起因してＨＤＤが故障することを抑止している。
【先行技術文献】
【特許文献】
【０００５】
【特許文献１】特開２００３−３４５６２７号公報
【特許文献２】特開平１０−３１８８０４号公報
【特許文献３】特開２００１−９２６８８号公報
【発明の概要】
【発明が解決しようとする課題】
【０００６】
しかしながら上記の従来の構成では、制御部４２は、各種センサ４１において動作環境の変化を検出した時点のみの情報に基づき異常の有無を判断していたので、一時的にＨＤＤの温度が基準値を超えてしまったり、一時的にＨＤＤに振動が加わったりした場合、表示部４３に頻繁に報知画面が表示されてしまう。すなわち、ＨＤＤに異常が生じる程度の温度や振動ではない場合にも、表示部４３に頻繁に報知画面が表示されてしまい、本装置を用いた入力作業等に支障を来してしまう。
【０００７】
本発明は、使用環境の一時的な状態変化ではなく、ＨＤＤの使用状況や使用環境の履歴に基づきＨＤＤの異常の有無を判断することで、使用者に対する不要な報知が頻繁に行われることを防止し、使い勝手を向上させることができる情報処理装置および情報処理方法を提供することを目的とする。
【課題を解決するための手段】
【０００８】
本発明の第１の情報処理装置は、ハードディスクドライブの使用環境または使用状況を監視する監視部と、前記監視部で監視されている使用環境または使用状況の履歴を記録する履歴記録部と、前記履歴記録部に記録されている履歴と所定の条件とを比較する比較判定部と、前記比較判定部における比較結果を出力することができる報知部と、前記比較判定部における比較結果に基づき、前記報知部に対して比較結果を出力するよう制御する制御部とを備え、前記所定の条件は、任意の条件に変更可能であり、前記制御部は、前記履歴が前記所定の条件を満たしている場合に、前記報知部に対して比較結果を出力するよう制御するものである。
【０００９】
本発明の第２の情報処理装置は、ハードディスクドライブの温度を監視する監視部と、前記監視部で監視されている温度と第１の所定値とを比較し、前記温度が前記第１の所定値を超えた回数をカウントする比較判定部と、前記比較判定部における比較結果を出力することができる報知部と、前記比較判定部における比較結果に基づき、前記報知部に対して比較結果を出力するよう制御する制御部とを備え、前記制御部は、前記回数が第２の所定値を超えた場合、前記報知部に対して比較結果を出力するよう制御するものである。
【００１０】
本発明の第３の情報処理装置は、ハードディスクドライブの使用環境または使用状況を監視する監視部と、前記監視部で監視されている使用環境または使用状況の履歴を記録する履歴記録部と、前記履歴記録部に記録されている履歴と所定の条件とを比較する比較判定部と、前記比較判定部における比較結果を出力することができる報知部と、前記比較判定部における比較結果に基づき、前記報知部に対して比較結果を出力するよう制御する制御部とを備え、前記制御部は、前記履歴が前記所定の条件を満たしている場合に、前記報知部に対して比較結果を出力し、所定の時間経過後、または情報処理装置の電源が切られた場合に、前記履歴をリセットするよう制御するものである。
【００１１】
本発明の第１の情報処理方法は、ハードディスクドライブの使用環境または使用状況を監視する監視ステップと、前記監視ステップで監視されている使用環境または使用状況の履歴を記録する記録ステップと、前記履歴と所定の条件とを比較する比較ステップと、前記比較ステップにおける比較の結果を出力する報知ステップとを含み、前記所定の条件は、任意の条件に変更可能である。
【００１２】
本発明の第２の情報処理方法は、ハードディスクドライブの温度を監視する監視ステップと、前記監視ステップで監視されている温度と所定の条件とを比較する比較ステップと、前記比較ステップにおける比較の結果を出力する報知ステップとを含み、前記比較ステップは、前記監視ステップで監視されている温度と第１の所定値とを比較し、前記温度が前記第１の所定値を超えた回数をカウントし、前記回数が第２の所定値を超えた場合、前記報知部に対して比較結果を出力するよう制御する。
【００１３】
本発明の第３の情報処理方法は、ハードディスクドライブの使用環境または使用状況を監視する監視ステップと、前記監視ステップで監視されている使用環境または使用状況の履歴を記録する記録ステップと、前記履歴と所定の条件とを比較する比較ステップと、前記比較ステップにおける比較の結果を出力する報知ステップと、所定の時間経過後、または情報処理装置の電源が切られた場合に、前記履歴をリセットするリセットステップとを含み、前記比較ステップは、前記履歴が前記所定の条件を満たしている場合に、前記報知部に対して比較結果を出力する。
【発明の効果】
【００１４】
本発明によれば、使用者に対する不要な報知が頻繁に行われることを防止し、使い勝手を向上させることができる。
【図面の簡単な説明】
【００１５】
【図１】本発明の実施の形態における情報処理装置のブロック図
【図２】本実施の形態における比較判定方法の動作の流れを示すフローチャート
【図３】本実施の形態における判定結果が画面表示された情報処理装置の斜視図
【図４】従来の情報処理システムのブロック図
【発明を実施するための形態】
【００１６】
（１）本発明の第１の情報処理装置は、ハードディスクドライブの使用環境または使用状況を監視する監視部と、前記監視部で監視されている使用環境または使用状況の履歴を記録する履歴記録部と、前記履歴記録部に記録されている履歴と所定の条件とを比較する比較判定部と、前記比較判定部における比較結果を出力することができる報知部と、前記比較判定部における比較結果に基づき、前記報知部に対して比較結果を出力するよう制御する制御部とを備え、前記所定の条件は、任意の条件に変更可能であり、前記制御部は、前記履歴が前記所定の条件を満たしている場合に、前記報知部に対して比較結果を出力するよう制御するものである。
【００１７】
（２）本発明の第２の情報処理装置は、ハードディスクドライブの温度を監視する監視部と、前記監視部で監視されている温度と第１の所定値とを比較し、前記温度が前記第１の所定値を超えた回数をカウントする比較判定部と、前記比較判定部における比較結果を出力することができる報知部と、前記比較判定部における比較結果に基づき、前記報知部に対して比較結果を出力するよう制御する制御部とを備え、前記制御部は、前記回数が第２の所定値を超えた場合、前記報知部に対して比較結果を出力するよう制御するものである。
【００１８】
（３）本発明の第１の情報処理装置において、前記監視部は、前記ハードディスクドライブの振動を監視し、前記比較判定部は、前記振動の回数が第３の所定値を超えたか否かを判定し、前記制御部は、前記振動の回数が前記第３の所定値を超えた場合、前記報知部に対して比較結果を出力するよう制御する構成とすることができる。
【００１９】
（４）本発明の第１の情報処理装置において、前記監視部は、前記ハードディスクドライブの通電時間を監視し、前記比較判定部は、前記監視部で監視されている通電時間と第４の所定値とを比較し、前記通電時間が前記第４の所定値を超えたか否かを判断し、前記制御部は、前記通電時間が前記第４の所定値を超えた場合、前記報知部に対して比較結果を出力するよう制御する構成とすることができる。
【００２０】
（５）本発明の第１の情報処理装置において、前記監視部は、所定時間毎に監視を実行する構成とすることができる。
【００２１】
（６）本発明の第１の情報処理装置において、前記報知部は、前記比較結果の内容を含む報知画面を表示することができる表示部で構成することができる。
【００２２】
（７）本発明の第１の情報処理装置は、前記ハードディスクドライブの使用環境の履歴を判定するための基準値を取得する基準値取得部を、さらに備えた構成とすることができる。
【００２３】
（８）本発明の第１の情報処理装置は、前記報知部において比較結果を出力するかしないか選択可能な第１の選択手段を、さらに備えた構成とすることができる。
【００２４】
（９）本発明の第１の情報処理装置は、前記報知部において出力する比較結果の内容を選択可能な第２の選択手段を、さらに備えた構成とすることができる。
【００２５】
（１０）本発明の第１の情報処理装置は、前記報知部において比較結果を自動的に出力するか、所定の操作が行われた場合に比較結果を出力するかを選択可能な第３の選択手段を、さらに備えた構成とすることができる。
【００２６】
（１１）本発明の第１の情報処理装置は、本装置の電源設定情報を取得する電源設定取得部を、さらに備え、前記制御部は、前記電源設定取得部が取得した電源設定情報を確認し、前記ハードディスクドライブに故障の原因になる影響を与える可能性がある電源設定情報が含まれている場合に、報知出力を行うよう前記報知部を制御する構成とすることができる。
【００２７】
（１２）本発明の第３の情報処理装置は、ハードディスクドライブの使用環境または使用状況を監視する監視部と、前記監視部で監視されている使用環境または使用状況の履歴を記録する履歴記録部と、前記履歴記録部に記録されている履歴と所定の条件とを比較する比較判定部と、前記比較判定部における比較結果を出力することができる報知部と、前記比較判定部における比較結果に基づき、前記報知部に対して比較結果を出力するよう制御する制御部とを備え、前記制御部は、前記履歴が前記所定の条件を満たしている場合に、前記報知部に対して比較結果を出力し、所定の時間経過後、または情報処理装置の電源が切られた場合に、前記履歴をリセットするよう制御する構成とすることができる。
【００２８】
（１３）本発明の第１の情報処理方法は、ハードディスクドライブの使用環境または使用状況を監視する監視ステップと、前記監視ステップで監視されている使用環境または使用状況の履歴を記録する記録ステップと、前記履歴と所定の条件とを比較する比較ステップと、前記比較ステップにおける比較の結果を出力する報知ステップとを含み、前記所定の条件は、任意の条件に変更可能である。
【００２９】
（１４）本発明の第２の情報処理方法は、ハードディスクドライブの温度を監視する監視ステップと、前記監視ステップで監視されている温度と所定の条件とを比較する比較ステップと、前記比較ステップにおける比較の結果を出力する報知ステップとを含み、前記比較ステップは、前記監視ステップで監視されている温度と第１の所定値とを比較し、前記温度が前記第１の所定値を超えた回数をカウントし、前記回数が第２の所定値を超えた場合、前記報知部に対して比較結果を出力するよう制御する方法である。
【００３０】
（１５）本発明の第１の情報処理方法において、前記監視ステップは、前記ハードディスクドライブの振動を監視し、前記比較ステップは、前記振動の回数が第３の所定値を超えたか否かを判定し、前記振動の回数が第３の所定値を超えた場合、前記報知部に対して比較結果を出力するよう制御する方法とすることができる。
【００３１】
（１６）本発明の第１の情報処理方法において、前記監視ステップは、前記ハードディスクドライブの通電時間を監視し、前記比較ステップは、前記監視ステップで監視されている通電時間と第４の所定値とを比較し、前記通電時間が前記第４の所定値を超えたか否かを判断し、前記通電時間が前記第４の所定値を超えた場合、前記報知部に対して比較結果を出力するよう制御する方法とすることができる。
【００３２】
（１７）本発明の第１の情報処理方法において、前記監視ステップは、所定時間毎に監視を実行する方法とすることができる。
【００３３】
（１８）本発明の第１の情報処理方法において、前記報知ステップでは、前記比較結果の内容を含む報知画面を表示部に表示することができる方法とすることができる。
【００３４】
（１９）本発明の第１の情報処理方法は、前記ハードディスクドライブの使用環境または使用状況の履歴と比較するための条件を取得する条件取得ステップを含む方法とすることができる。
【００３５】
（２０）本発明の第１の情報処理方法において、前記報知ステップにおける比較結果を出力するかしないかを選択可能である方法とすることができる。
【００３６】
（２１）本発明の第１の情報処理方法は、前記報知ステップにおいて出力する比較結果の内容を選択可能である方法とすることができる。
【００３７】
（２２）本発明の第１の情報処理方法は、前記報知ステップにおいて比較結果を自動的に出力するか、所定の操作が行われた場合に比較結果を出力するかを選択可能である方法とすることができる。
【００３８】
（２３）本発明の第１の情報処理方法は、使用者の電源設定情報を取得する取得ステップと、前記取得ステップにおいて取得した電源設定情報を確認し、前記ハードディスクドライブに故障の原因になる影響を与える可能性がある電源設定情報が含まれている場合に、報知出力を行うよう制御する制御ステップとを、さらに備えた方法とすることができる。
【００３９】
（２４）本発明の第３の情報処理方法は、ハードディスクドライブの使用環境または使用状況を監視する監視ステップと、前記監視ステップで監視されている使用環境または使用状況の履歴を記録する記録ステップと、前記履歴と所定の条件とを比較する比較ステップと、前記比較ステップにおける比較の結果を出力する報知ステップと、所定の時間経過後、または情報処理装置の電源が切られた場合に、前記履歴をリセットするリセットステップとを含み、前記比較ステップは、前記履歴が前記所定の条件を満たしている場合に、前記報知部に対して比較結果を出力する。
【００４０】
（実施の形態）
図１は、本実施の形態の情報処理装置のブロック図である。図１に示すように、本実施の形態の情報処理装置は、ＨＤＤ状態監視部１１を備えたＨＤＤ１０、制御部１２、ＨＤＤ状態記録部１３、比較判定部１４、表示部１５、および電源設定取得部１６を備えている。
【００４１】
ＨＤＤ状態監視部１１は、ＨＤＤ１０に含まれている。また、ＨＤＤ状態監視部１１は、ＨＤＤ１０の使用環境を監視し、Ｓ．Ｍ．Ａ．Ｒ．Ｔ．（Self-Monitoring, Analysis And Reporting Technology）情報を取得することができる。Ｓ．Ｍ．Ａ．Ｒ．Ｔ．情報には、ＨＤＤ１０の累積通電時間または連続通電時間、ＨＤＤ１０の通電回数、ＨＤＤ１０の内部温度、ＨＤＤ１０の代替セクター数などの情報が含まれる。以下、Ｓ．Ｍ．Ａ．Ｒ．Ｔ．情報を「履歴情報」と称する。
【００４２】
制御部１２は、ＨＤＤ状態監視部１１、ＨＤＤ状態記録部１３、比較判定部１４、表示部１５、および電源設定取得部１６の動作を制御する。
【００４３】
ＨＤＤ状態記録部１３は、ＨＤＤ状態監視部１１で取得した履歴情報を所定の記録領域に記録する。本実施の形態では、ＨＤＤ状態記録部１３は、履歴情報をレジストリ領域に記録する構成とした。なお、履歴情報を記録する領域は、レジストリ領域に限らず、履歴情報をファイル形式に変換し、ファイル形式に変換した履歴情報を情報処理装置内に配されたメモリなどに記録する構成であってもよい。
【００４４】
比較判定部１４は、ＨＤＤ状態記録部１３で記録された履歴情報を読み出して、所定の基準値（条件）と比較する。また、比較判定部１４は、履歴情報に含まれる各数値が基準値を超えているか否かを判定する。
【００４５】
表示部１５は、制御部１２からの制御により、文字情報や図形情報を表示することができる。本実施の形態では、制御部１２が、比較判定部１４における判定結果に基づき、ＨＤＤ１０あるいはそれを含むパソコンが不適切な環境下で使用されていることを、文字情報あるいは図形情報などで表示部１５に表示するよう制御している。なお、表示部１５は、ノート型パソコンに搭載されている液晶ディスプレイや、ノート型パソコンやデスクトップ型パソコンに外部接続されているディスプレイに相当する。
【００４６】
電源設定取得部１６は、情報処置装置において設定されている電源設定の情報を取得する。電源設定情報には、情報処置装置のアイドル状態が設定されている時間継続すると休止状態に移行する設定情報が含まれている。なお、「休止状態」または「休止機能」とは、情報処理装置の作業状態の情報をＨＤＤに保存して、情報処理装置の電源を自動的に切る機能のことである。休止状態から復帰する際は、ＨＤＤから作業状態の情報を読み出し、電源を切る直前の作業状態から作業を再開することができる。アイドル状態の時間（休止状態に移行するまでの時間）は、使用者が任意の値に設定することができる。
【００４７】
以下、情報処理装置の動作について説明する。
【００４８】
まず、ＨＤＤ状態監視部１１は、ＨＤＤ１０の動作状態（本実施の形態では、温度変化、振動、連続通電時間）を常に監視し、監視することにより得た動作状態の情報を蓄積している。
【００４９】
制御部１２は、ＨＤＤ状態監視部１１に対して、一定間隔あるいは任意のタイミングで現在のＨＤＤ１０の動作状態を要求する。ＨＤＤ状態監視部１１は、制御部１２からの要求に基づき、ＨＤＤ１０の動作状態の情報を含む履歴情報を制御部１２に送る。制御部１２は、ＨＤＤ状態監視部１１から送られた履歴情報を、所定の記録領域に記録するようＨＤＤ状態記録部１３に命令を送る。ＨＤＤ状態記録部１３は、制御部１２からの命令に基づき、履歴情報を所定の記録領域（本実施の形態ではレジストリ領域）に記録する。次に、制御部１２は、ＨＤＤ状態記録部１３によって記録された履歴情報を読み出し、比較判定部１４に送る。比較判定部１４は、制御部１２から送られる履歴情報に含まれる数値と所定の基準値とを比較する。比較判定部１４は、履歴情報に含まれる数値が所定の基準値を超える場合、フラグを立てる。なお、比較判定部１４における比較判定処理は、予め設定されているタイミング（例えば毎時０分）、あるいは使用者により比較判定処理の実行命令が入力された場合に実行される。
【００５０】
図２は、実施の形態に係る比較判定方法のフローチャートである。図２に示すように、比較判定部１４は、比較判定処理を開始すると、温度フラグ、振動フラグ、通電時間フラグの各使用環境のフラグを「０」にセットする（Ｓ１１）。
【００５１】
次に、比較判定部１４は、履歴情報に含まれる温度情報を参照し、温度情報と予め設定されている基準値とを比較する。次に、温度情報が基準値Ｔを超えた回数Ｆ１をカウントする。次に、カウントした回数Ｆ１と基準回数Ｎ（Ｎは任意の値。本実施の形態ではＮ＝２）とを比較する。なお、基準値Ｔは、本発明の第１の所定値の一例である。また、基準回数Ｎは、本発明の第２の所定値の一例である（Ｓ１２）。
【００５２】
比較判定部１４は、回数Ｆ１が基準回数Ｎを超えていると判定した場合は、温度フラグを「１」にセットする（Ｓ１３）。また、比較判定部１４は、回数Ｆ１が基準回数Ｎを超えていないと判定した場合は、温度フラグは「０」のままとする。
【００５３】
次に、比較判定部１４は、履歴情報に含まれる振動情報を参照し、振動の回数Ｆ２と基準回数Ｍ（Ｍは任意の値。本実施の形態ではＭ＝１）とを比較する。なお、基準回数Ｍは、本発明の第３の所定値の一例である（Ｓ１４）。
【００５４】
なお、振動の回数は、振動センサが感知した回数でもよいし、振動の大きさが所定のレベルを超えた場合のみの回数としてもよい。
【００５５】
比較判定部１４は、回数Ｆ２が基準回数Ｍを超えていると判定した場合は、振動フラグを「１」にセットする（Ｓ１５）。また、比較判定部１４は、回数Ｆ２が基準回数Ｍを超えていないと判定した場合は、振動フラグは「０」のままとする。
【００５６】
次に、比較判定部１４は、履歴情報に含まれる連続通電時間情報を参照し、連続通電時間が基準値Ｅ（本実施の形態ではＥ＝２４時間）を超えているか否かを判定する。なお、基準値Ｅは、本発明の第４の所定値の一例である（Ｓ１６）。
【００５７】
比較判定部１４は、連続通電時間が基準値Ｅを超えていると判定した場合は、通電時間フラグを「１」にセットする（Ｓ１７）。また、比較判定部１４は、連続通電時間が基準値Ｅを超えていないと判定した場合は、通電時間フラグは「０」のままとする。
【００５８】
以上により比較判定部１４における比較判定処理を終了する。なお、図２に示す比較判定処理では、温度、振動、通電時間の順に比較判定処理を実行したが、この順序に限定されない。
【００５９】
なお、カウントした回数は、所定の時間毎あるいは情報処理装置の電源が切られた場合に、リセットする（０にする）構成としてもよい。
【００６０】
図１に戻り、制御部１２は、比較判定部１４でセットされた使用環境のフラグを参照し、温度フラグ、振動フラグ、通電時間フラグのうち少なくとも１つのフラグが「１」にセットされている場合、表示部１５に報知画面を表示するよう制御する。表示部１５は、制御部１２からの制御により、ＨＤＤ１０が不適切な環境下で使用されていることを使用者に報知する報知画面を表示する。
【００６１】
図３は、情報処理装置の一例であるノート型パソコンの外観を示し、表示部１５に報知画面が表示された状態を示す。図３に示す表示例は、温度フラグが「１」となっている時に表示される報知画面である。
【００６２】
なお、表示部１５に表示する報知画面は、「１」にセットされているフラグの種別に対応した画面とすることができる。例えば、振動フラグが「１」にセットされている場合は、「使用環境における振動が多いため、ＨＤＤが壊れる可能性があります」と表示することができる。また、複数のフラグが「１」にセットされている場合は、「１」にセットされているフラグに対応した複数のメッセージを含む報知画面を表示することができる。
【００６３】
また、本実施の形態では、表示部１５に報知画面を表示する構成としたが、情報処理装置にスピーカーが内蔵されている場合は音や音声で報知する構成としてもよい。また、情報処理装置に発光ダイオードを搭載し、発光ダイオードを発光させることで報知する構成としてもよい。
【００６４】
また、図１に示す電源設定取得部１６は、ノート型パソコンの場合、アイドル状態になってから休止状態に移行するまでの設定時間の情報を取得する。ここで、設定時間が短く設定されている場合（例えば１分程度）、使用者がノート型パソコンをアイドル状態で持ち運んでいるときなど、使用者が気づかないうちに設定時間が経過して休止状態に入るための処理（休止状態に入る直前の作業状態の情報をＨＤＤ１０に書き込む処理）が実行される。休止状態に入るための処理が実行されている時、ノート型パソコンに大きな衝撃や振動を与えてしまえば、ＨＤＤ１０の故障の原因になる。
【００６５】
そこで、制御部１２は、電源設定取得部１６から取得した設定時間の情報を比較判定部１４に送る。比較判定部１４は、制御部１２から送られる設定時間の情報と予め設定されている基準時間とを比較する。比較判定部１４は、設定時間と基準時間との比較の結果、設定時間が基準時間よりも短い場合、その比較結果を制御部１２に送る。制御部１２は、比較判定部１４から送られる比較結果に基づき、表示部１５に報知画面を表示するよう制御する。表示部１５は、制御部１２からの制御に基づき報知画面を表示する。この時、表示部１５に表示される報知画像は、電源設定内容がＨＤＤ１０の故障の原因になる影響を及ぼす可能性があることを示す内容を含む。すなわち、設定時間が基準時間よりも短い場合、休止状態に入るための処理が頻繁に実行される可能性が高くなるため、使用者に対して報知画面を通じてノート型パソコンに振動や衝撃を与えないよう報知する。ただし、設定時間が０の場合、すなわちアイドル状態が継続しても休止状態に移行しない場合は、報知しない。
【００６６】
以上のように本実施の形態によれば、ＨＤＤ１０の使用状況や使用環境の履歴情報を記録することにより、ＨＤＤ１０の一時的な状況変化や環境変化により頻繁に表示部１５に報知画像が表示されることを防ぎ、使用状況や使用環境の履歴情報に基づき必要な報知のみを行うことができる。
【００６７】
なお、本実施の形態において、比較判定部１４は、ＨＤＤ状態監視部１１から取得した温度情報、振動情報、通電時間情報を基準値と比較し、ＨＤＤ１０の障害を引き起こす要因となるか否かを判定する構成としたが、ＨＤＤ１０の障害を引き起こす要因について比較判定を行う要素はこれらに限らない。例えば、代替セクター処理が実行されてデータが書き込まれた代替セクター数と基準値とを比較し、上記と同様の判定処理を行う構成とすることができる、「代替セクター処理」とは、データを書き込もうとしているセクターに障害がある場合、替わりに他のセクターに割り当てる処理である。したがって、代替セクター数が多いほど、そのＨＤＤにおいて障害があるセクター（不良セクター）が多いことを表している。
【００６８】
また、比較判定部１４において設定されている基準値は、固定値ではなく、あらかじめ使用者によって任意の値に設定あるいは変更可能としてもよい。このような構成の場合、使用者により基準値を入力可能な入力手段と、入力手段で入力された基準値を取得する基準値取得部（いずれも図示せず）を備える構成とすることができる。
【００６９】
また、表示部１５に報知画面を表示するかしないかを、使用者により選択可能な第１の選択手段をさらに備える構成とすることができる。
【００７０】
また、表示部１５に表示する報知画面の表示内容を、使用者により選択可能な第２の選択手段をさらに備える構成とすることができる。例えば、使用環境の温度が不適切な場合の報知画面のみを表示部１５に表示するよう選択する構成とすることができる。このような構成とすることで、使用者が表示したい報知画面のみを表示させることができ、不要な報知画面を表示させないようにすることができる。
【００７１】
また、表示部１５に報知画面を自動的に表示するか、自動的に表示せず使用者が基準値を超えたかどうか確認したい場合のみ、使用者に対して任意に報知画面を表示するかを選択させる第３の選択手段を備える構成とすることができる。
【００７２】
また、パソコンの場合では制御部１２、比較判定部１４、および電源設定取得部１６は、ＣＰＵ（中央演算処理装置）およびＣＰＵがＨＤＤ１０から読み出して実行するプログラムに相当する。また、ＨＤＤ状態記録部１３は、ＨＤＤ１０のディスクに割り当てられた記憶領域に相当する。また、表示部１５は、パソコンに内蔵または外部接続されたディスプレイに相当する。そして、ＨＤＤ状態監視部１１（Ｓ．Ｍ．Ａ．Ｒ．Ｔ．情報を取得する手段）を含むハードウェアによって使用環境の監視、報知、あるいは上記の電源設定監視、報知を実行する。また、基準値取得部および上記の選択手段は、ＣＰＵ（中央演算処理装置）、ＣＰＵがＨＤＤから読み出して実行するプログラム、および表示部であるディスプレイによって実現することができる。
【００７３】
また、本実施の形態におけるＨＤＤ状態監視部１１は、本発明における監視部の一例である。また、本実施の形態におけるＨＤＤ状態記録部１３は、本発明における履歴記録部の一例である。また、本実施の形態における表示部１５は、本発明における報知部の一例である。また、本実施の形態におけるＳ．Ｍ．Ａ．Ｒ．Ｔ．情報および履歴情報は、本発明における履歴および履歴情報の一例である。
【産業上の利用可能性】
【００７４】
本発明にかかる情報処理装置および情報処理方法は、ハードディスクドライブ（ＨＤＤ）の使用環境の履歴を記録することにより、ＨＤＤの一瞬の状態ではなく使用環境の履歴が所定の基準値を超えた場合に、使用者に注意を促すための画面を表示し、使用者により長くＨＤＤを使用してもらうことができるという効果を有し、ＨＤＤの使用環境について注意を促すシステム等として有用である。
【符号の説明】
【００７５】
１０  ＨＤＤ
１１  ＨＤＤ状態監視部
１２  制御部
１３  ＨＤＤ状態記録部
１４  比較判定部
１５  表示部
１６  電源設定取得部
【手続補正３】
【補正対象書類名】図面
【補正対象項目名】全図
【補正方法】変更
【補正の内容】
【図１】
2009040995.tif 000007
【図２】
2009040995.tif 000008
【図３】
2009040995.tif 000009
【図４】
2009040995.tif 000010
【国際調査報告】
2009040995.tif 000011
2009040995.tif 000012
2009040995.tif 000013
2009040995.tif 000014